【手続補正書】
【提出日】平成16年12月24日(2004.12.24)
【手続補正１】
【補正対象書類名】明細書
【補正対象項目名】発明の名称
【補正方法】変更
【補正の内容】
【発明の名称】インク供給システムおよびインクカートリッジ
【手続補正２】
【補正対象書類名】明細書
【補正対象項目名】特許請求の範囲
【補正方法】変更
【補正の内容】
【特許請求の範囲】
【請求項１】
内部にインクを収納するインク収納室と、前記インク収納室内に連通した複数のインク受給部とを備え、被記録媒体にインクを吐出する記録ヘッドを有する記録装置、および前記記録装置に対して着脱可能な、内部にインクを収納し、前記記録ヘッドにインクを供給するための複数のインク供給部を備えたインクカートリッジを有し、前記各インク受給部と前記各インク供給部とが連結されることによって、前記インクカートリッジから前記記録ヘッドの前記インク収納室内へのインク供給がなされるインク供給システムにおいて、
前記記録ヘッドが前記各インク受給部の間に少なくとも１つの位置決め突起部を有するとともに、前記インクカートリッジの前記各インク供給部の間に前記位置決め突起部に対応した位置決め穴が形成されており、前記位置決め突起部が前記位置決め穴に係合されることで前記インク受給部と前記インク供給部とが位置決めされることを特徴とするインク供給システム。
【請求項２】
前記複数のインク供給部は少なくともイエローインク、マゼンタインク、シアンインクに対応しており、前記位置決め穴はイエローインクに対応したインク供給部とその他のインクに対応したインク供給部との間に配されていることを特徴とする請求項１に記載のインク供給システム。
【請求項３】
前記インクカートリッジと前記記録ヘッドとは断続的に接続及びインクの供給が行われることを特徴とする請求項１または２に記載のインク供給システム。
【請求項４】
内部にインクを収納するインク収納室と該インク収納室内に連通した複数のインク受給部とを備える記録ヘッドに対して着脱可能なインクカートリッジにおいて、
前記複数のインク受給部に対応した前記記録ヘッドにインクを供給するための複数のインク供給部と、
前記記録ヘッドに配される位置決め突起部に対応した位置決め穴と、を有し、
前記複数のインク供給部と前記位置決め穴とは直線状に配され、前記位置決め穴は前記複数のインク供給部の間に配されることを特徴とするインクカートリッジ。
【請求項５】
前記複数のインク供給部は少なくともイエローインク、マゼンタインク、シアンインクに対応しており、前記位置決め穴はイエローインクに対応したインク供給部とその他のインクに対応したインク供給部との間に配されていることを特徴とする請求項４に記載のインクカートリッジ。
【請求項６】
内部にインク吸収部材を有し、該インク吸収部材と前記位置決め穴とは連通していることを特徴とする請求項４または５に記載のインクカートリッジ。
【手続補正３】
【補正対象書類名】明細書
【補正対象項目名】０００１
【補正方法】変更
【補正の内容】
【０００１】
【発明の属する技術分野】
本発明は、インク供給システムおよびインクカートリッジに関するものである。
【手続補正４】
【補正対象書類名】明細書
【補正対象項目名】００１８
【補正方法】変更
【補正の内容】
【００１８】
上記のとおりの本発明のインク供給システムは、記録ヘッドが位置決め突起部を各インク受給部の間に有し、また、インクカートリッジの各インク供給部の間に位置決め突起部に対応した位置決め穴が形成された構成となっている。すなわち、位置決め突起部を各インク受給部のピッチ間に設けているので、位置決めのための部材によって記録ヘッドが大型化してしまうことがない。また、インクカートリッジも、各インク供給部のピッチ間に位置決め穴が形成されているので大型化してしまうことがない。よって、本発明のインク供給システムは、記録装置の大型化を伴わずに位置決めを行うことができる。さらには、インクカートリッジの各インク供給部の間に位置決め穴が形成されているので、複数の色のインクの供給が行われる場合においても、供給時の余剰インクがこの位置決め穴に入り込むことで、各色の混色を防止することができる。
また、本発明のインク供給システムは、複数のインク供給部は少なくともイエローインク、マゼンタインク、シアンインクに対応しており、位置決め穴はイエローインクに対応したインク供給部とその他のインクに対応したインク供給部との間に配されているものであってもよい。
また、本発明のインク供給システムは、インクカートリッジと記録ヘッドとは断続的に接続及びインクの供給が行われるものであってもよい。
本発明のインクカートリッジは、内部にインクを収納するインク収納室と該インク収納室内に連通した複数のインク受給部とを備える記録ヘッドに対して着脱可能なインクカートリッジにおいて、複数のインク受給部に対応した記録ヘッドにインクを供給するための複数のインク供給部と、記録ヘッドに配される位置決め突起部に対応した位置決め穴と、を有し、複数のインク供給部と位置決め穴とは直線状に配され、位置決め穴は複数のインク供給部の間に配されることを特徴とする。
また、本発明のインクカートリッジは、複数のインク供給部は少なくともイエローインク、マゼンタインク、シアンインクに対応しており、位置決め穴はイエローインクに対応したインク供給部とその他のインクに対応したインク供給部との間に配されているものであってもよい。
また、本発明のインクカートリッジは、内部にインク吸収部材を有し、該インク吸収部材と位置決め穴とは連通しているものであってもよい。
【手続補正５】
【補正対象書類名】明細書
【補正対象項目名】図面の簡単な説明
【補正方法】変更
【補正の内容】
【図面の簡単な説明】
【図１】
本発明の第１の実施形態のインク供給システムにおけるインクジェット記録装置の内部概要を示す斜視図である。
【図２】
本発明の第１の実施形態のインクカートリッジの外観斜視図である。
【図３】
図２に示すインクカートリッジのＡ−Ａ線での断面図である。
【図４】
図２に示すインクカートリッジの上面図である。
【図５】
図４に示すインクカートリッジのＢ−Ｂ線での断面図、Ｃ−Ｃ線での断面図、および図５（ｂ）に示すＣ部に示す位置決め部材近傍の拡大図である。
【図６】
本発明の第１の実施形態のインクジェットヘッドを吐出面側からみた斜視図である。
【図７】
ホームポジションに位置するインクジェットヘッドとインクカートリッジとの位置関係を示す斜視図である。
【図８】
インクジェットヘッドの針状筒およびガイドピンがインクカートリッジのジョイント穴および位置決め穴に挿入されていく状態の各工程をジョイント部側からみた図である。
【図９】
本発明の第２の実施形態におけるインクカートリッジの位置決め穴部分の断面図である。
【符号の説明】
１０    インクカートリッジ
３０    インクジェット記録装置
３１    給紙カセット
３４    インクカートリッジ交換
３６    針状筒
１００    蓋部
１２０    筐体部
１２５    廃棄インク開口部
１３０    吸収部材
１４０    ジョイント部
１４２    位置決め穴
１４３    押さえ板
１４５、１４５Ｙ、１４５Ｍ、１４５Ｃ    ジョイント穴
１４８    位置決め部材
１４９ 連通管
１７０    溝部
２１０    底板
２２０    廃インク吸収部材
２２０ａ    廃インク吸収部材収納部
２２５    当接部
２３０    廃インク保持部材
２５０    インク容器
３００    シール部材
３５０    インク連結部材
３６０    インク容器結合部材
４１０    インクジェットヘッド
４２０    ガイドピン
４２０ａ    先端部
４２０ｂ    位置決め部
４３０    インクカートリッジガイドフレーム
４３１    吐出口
４３２    吐出面
４３６、４３６Ｙ、４３６Ｍ、４３６Ｃ    針状筒
４３８    ガイドレール
４４０    インクジェットヘッド
４４１    ヘッド側ジョイント部
【手続補正６】
【補正対象書類名】図面
【補正対象項目名】図９
【補正方法】変更
【補正の内容】
【図９】
2004322531.tif 000001